(57)【要約】【課題】電池で動作する無線端末をノードとするネットワークシステムにおいて、電池寿命を効率よく推測し、無線端末の電池の保守効率をよくして、電池切れによるシステムダウンを防ぐようにする。【解決手段】無線端末は、アクセスポイントに向けて、無線端末のアドレス(送信元アドレス)、累計送信時間情報、累計受信時間情報、電池電圧情報を付加したパケットを定期的に送信する。アクセスポイントが当該パケットを受信した際、当該パケットから無線端末のアドレス、累計送信時間情報、累計受信時間情報、電池電圧情報を読み取り、監視装置に通知する。監視装置では、それら通知された情報と予め監視装置内に記録されている各無線端末固有情報(無線端末に付帯される電池種別やセンサ種別等)に基づき、その無線端末における電池寿命を推定する。【選択図】図６
2009218904.tif 000002
【特許請求の範囲】
【請求項１】
一つ以上の無線端末と、アクセスポイントと、前記アクセスポイントに接続され前記各無線端末の状態を監視する監視装置とにより構成される無線ネットワークシステムにおいて、
前記無線端末は、電池で駆動され、
前記無線端末から発信されたパケットは、他の無線端末を中継して定期的に前記アクセスポイントに送信され、
前記パケットは、送信元アドレスと、電池電圧情報と、パケットの累計送信時間情報と、パケットの累計受信時間情報とを含み、
前記監視装置は、前記パケットに含まれる前記送信元アドレスと、前記電池電圧情報と、パケットの累計送信時間情報と、パケットの累計受信時間情報とに基づき、前記送信元アドレスを有する無線端末の電池寿命を推定することを特徴とする無線ネットワークシステム。
【請求項２】
アクセスポイントに無線により接続され、他の無線端末からのパケットを中継する無線端末において、
電池で駆動され、
前記電池の電池電圧を測定する手段と、
パケットの累計送信時間を測定する手段と、
パケットの累計受信時間を測定する手段とを備え、
自分のアドレスと、前記電池の電池電圧を測定する手段により測定された電池電圧情報と、前記パケットの累計送信時間を測定する手段により測定されたパケットの累計送信時間情報と、前記パケットの累計受信時間を測定する手段により測定されたパケットの累計受信時間情報を含んだパケットを送信することを特徴とする無線端末。
【請求項３】
一つ以上の電池で駆動される無線端末と、アクセスポイントとにより構成される無線ネットワークシステムの各無線端末の状態を監視する監視装置において、
前記アクセスポイントに接続され、
前記無線端末からのパケットに含まれる送信元アドレスと、電池電圧情報と、パケットの累計送信時間情報と、パケットの累計受信時間情報を受け取り、
前記パケットに含まれる前記送信元アドレスと、前記監視装置電池電圧情報と、パケットの累計送信時間情報と、パケットの累計受信時間情報と前記送信元アドレスを有する無線端末の固有情報とに基づき、前記送信元アドレスを有する無線端末の電池寿命を推定することを特徴とする監視装置。
【請求項４】
アクセスポイントに無線により接続され、他の無線端末からのパケットを中継する無線端末において、
電池で駆動され、
前記電池の電池電圧を測定する手段と、
パケットの累計送信時間と累計受信時間との総和を測定する手段とを備え、
自分のアドレスと、前記電池の電池電圧を測定する手段により測定された電池電圧情報と、前記パケットの累計送信時間と累計受信時間との総和を測定する手段により測定されたパケットの累計送信時間情報と累計受信時間との総和情報とを含んだパケットを送信することを特徴とする無線端末。
【請求項５】
アクセスポイントに無線により接続され、他の無線端末からのパケットを中継する無線端末において、
電池で駆動され、
前記電池の電池電圧を測定する手段と、
駆動時間を測定する手段とを備え、
自分のアドレスと、前記電池の電池電圧を測定する手段により測定された電池電圧情報と、前記駆動時間を測定する手段により測定された駆動時間情報とを含んだパケットを送信することを特徴とする無線端末。
【請求項６】
アクセスポイントに無線により接続され、他の無線端末からのパケットを中継する無線端末において、
電池で駆動され、
前記電池の電池電圧を測定する手段と、
パケットの累計送信時間を測定する手段と、
パケットの累計受信時間を測定する手段と、
端末固有仕様の情報を記録する記録部と、
電池寿命算出部とを備え、
前記電池の電池電圧を測定する手段により測定された電池電圧情報と、前記パケットの累計送信時間を測定する手段により測定されたパケットの累計送信時間情報と、前記パケットの累計受信時間を測定する手段により測定されたパケットの累計受信時間情報と、前記記録部に記録された端末固有仕様の情報とに基づき、前記電池寿命算出部が電池寿命を推定し、自分のアドレスと推定された推定電池寿命情報とを含んだパケットを送信することを特徴とする無線端末。
【請求項７】
前記監視装置は、各無線端末の推定された電池寿命に基づき、電池寿命の短い無線端末をルーティングしないように制御することを特徴とする請求項１記載の無線通信システム。
【発明の詳細な説明】
【技術分野】
【０００１】
本発明は、無線ネットワークシステム、および、その無線端末、監視装置に係り、複数の無線端末、アクセスポイント、監視装置から構成され、無線端末からアクセスポイントにマルチホップ伝送により情報を伝えるシステムであって、特に、各無線端末が電池駆動の場合に好適な無線ネットワークシステム、および、その無線端末、監視装置に関する。
【背景技術】
【０００２】
マルチホップ通信は、無線端末同士が直接通信するだけでなく、他の無線端末を経由して情報を中継することが可能な通信形態である。マルチホップ無線ネットワークを構築することにより、端末の近くに基地局やアクセスポイントがなくても通信をおこなえるようになり、低廉な端末であっても広範囲な通信エリア持つことができる。
【０００３】
このマルチホップ無線ネットワークの一つであるメッシュ型無線ネットワークは、複数のルーティングパスを持つことが可能であるため、無線端末の障害や電波伝搬環境の変化により一つのルーティングパスに障害が発生した場合においても他のルーティングパスでパケットをルーティングさせることにより、正常なパケット伝送が可能になる。その結果として、ネットワークシステムの高い信頼性を確保することができる。
【０００４】
メッシュ型無線ネットワークの標準化された規格としては、例えば、ＺｉｇＢｅｅ（登録商標）がある。ＺｉｇＢｅｅは、通信速度が低速であり、転送距離が短いが、安価で消費電力が少ないという特徴を持つ。ＺｉｇＢｅｅ端末は、乾電池程度の電力で１００日〜数年間稼動し、電源も含めて完全に無配線でネットワークを構築することができ、セキュリティ監視用、プラント監視などの産業用途、家電ネットワークなどの民生用途に広く応用が期待されている。
【０００５】
上記のＺｉｇＢｅｅのように、メッシュ型無線ネットワークの構成要素である各無線端末は、システムの構築を安価にし、無線ネットワークの柔軟性を活かすという観点から、電池駆動であることが多い。一般的にアクセスポイントに近い無線端末ほど、他の無線端末よりパケットの中継回数が増えることにより、より電力消費が大きくなることが知られている。このことは、各無線端末が同じ電池容量の電池を用いている場合は、アクセスポイントに近い無線端末ほど電池寿命が短いことを意味する。また、ルーティングパスの一部の回線状態が良好でない場合、特定の端末に多数の再送が発生し、結果として電池寿命を著しく消耗する。さらに、各無線端末は、無線端末に付帯したセンサ種別やセンシング周期、電池種別により単位時間当たりの消費電力が異なる。このようにメッシュ型無線ネットワーク内の各無線端末の電池寿命は、無線端末の設置位置や回線状況、無線端末に付帯される電池種別やセンサ種別により、電池寿命が大きく異なる。
【０００６】
各無線端末がアクセスポイントに向かってパケットを送信する際に、パケットに当該無線端末の電池電圧情報が付加することにより、監視制御装置はパケットから電池電圧情報を読込み、各無線端末の電池電圧を画面(ＧＵＩ：Graphical User Interface)上に表示することにより、ユーザに電池の交換時期を知らせるシステムが提案されている。
【０００７】
また、マルチホップ無線ネットワークの経路設定をおこなうシステムとして、例えば、特許文献１には、各無線制御局の通信チャネルの使用状態に応じて通信経路を設定できるマルチホップ通信システムが記載されている。また、例えば、特許文献２には、経路を設定する際に端末の残余電力を考慮し、残余電力の多い端末を優先的に中継する経路を構築できる無線通信システムが記載されている。
【０００８】
【特許文献１】特開２００４−２５４２３７号公報
【特許文献２】特開２００４−２６０４６５号公報
【発明の開示】
【発明が解決しようとする課題】
【０００９】
上記従来技術では、無線端末を管理する集中管理サーバなどで、無線端末から電池電圧の送信されてくるので、電池電圧が低下した電池が切れる間際の無線端末を把握することができる。
【００１０】
しかしながら、電池電圧は、電池が完全に切れる間際になって急速に消耗するため、予め電池がなくなる前に取り換えるのは困難である。また、無線端末の設置位置や無線端末に付帯される電池種別やセンサ種別により電池寿命が大きく異なるので、現時刻の電池電圧だけでは、電池寿命を精度良く推定することは困難であり、電池交換時期が間に合わなかったり、反対に電池交換時期が早すぎたりするという問題点があった。
【００１１】
さらに、メッシュネットワークの無線端末の電池の管理については、ネットワーク上の配置に影響されるので、特に、留意する必要がある。
【００１２】
以下、それを、図１２を用いて説明する。
図１２は、メッシュネットワークを模式的に説明した図である。
【００１３】
ここで、各ノードｎ１，ｎ２，ｎ３，…がアクセスポイントａ０に向かってマルチホップ通信をおこなうネットワークを考える。各ノードは、通常、無線端末である。
【００１４】
この配置では、アクセスポイントに近いノードｎ３は、他のノードｎ１，ｎ２…のパケットの中継回数が大きくなる。ノードｎ１，ｎ２は、パケットの中継回数が少ないので、電池寿命が長くなる傾向があるが、ノードｎ３は、パケットの中継回数が多くなるため電力消費も大きくなり、電池寿命が短くなる。特に、ノードｎ３が、ダウンした場合には、他のノードの情報がアクセスポイントに中継できなくなるため、影響が大きい。このように、特定のノードについて、電池寿命が尽きてしまい、ネットワーク自体が動作できる寿命が短くなるという問題点があった。
【００１５】
また，ネットワークの全体において地理的に観測データ発生量が異なるセンサネットワークでは，パケット中継の地理的偏りが生じ，各ノードの電力消費が偏るという問題も生じる。
【００１６】
このように、特に、アクセスポイントに近い無線端末では、通信トラフィックが大きくなりがちであり、そのような無線端末がダウンするとシステム全体の無線端末の情報の中継ができなくなるので早急に対処する必要がある。
【００１７】
本発明は、上記問題点を解決するためになされたもので、その目的は、電池で動作する無線端末をノードとするネットワークシステムにおいて、電池寿命を効率よく推測し、無線端末の電池の保守効率をよくして、電池切れによるシステムダウンを防ぐことのできる無線ネットワークシステムを提供することにある。
【課題を解決するための手段】
【００１８】
本発明の無線ネットワークシステムでは、無線端末と、アクセスポイントが無線により通信するシステムにおいて、無線端末は、アクセスポイントに向けて、無線端末のアドレス(送信元アドレス)、累計送信時間情報、累計受信時間情報、電池電圧情報を付加したパケットを定期的に送信する。
【００１９】
アクセスポイントが当該パケットを受信した際、当該パケットから無線端末のアドレス、累計送信時間情報、累計受信時間情報、電池電圧情報を読み取り、監視装置に通知する。
【００２０】
監視装置は、無線端末のアドレス、累計送信時間情報、累計受信時間情報、電池電圧情報と予め監視装置内に記録されている各無線端末固有情報(無線端末に付帯される電池種別やセンサ種別等)を基に、電池寿命を精度よく推定することが可能である。
【００２１】
その結果、電池交換時期が間に合わなかったり、反対に電池交換時期が早すぎたりすることを防ぎ、ユーザーは無線端末の保守点検作業を効率よくおこなうことが可能となる。さらに、監視装置は、電池寿命の推定結果により、電池寿命が早期に訪れると判断した無線端末を中継するルーティングパス制限することにより、中継による電池の消費を防ぐことが可能になる。
【発明の効果】
【００２２】
本発明によれば、電池で動作する無線端末をノードとするネットワークシステムにおいて、電池寿命を効率よく推測し、無線端末の電池の保守効率をよくして、電池切れによるシステムダウンを防ぐことのできる無線ネットワークシステムを提供することを提供することができる。
【発明を実施するための最良の形態】
【００２３】
以下、本発明に係る各実施形態を、図１ないし図１１を用いて説明する。
【００２４】
〔実施形態１〕
以下、本発明に係る第一の実施形態を、図１ないし図６を用いて説明する。
【００２５】
先ず、図１および図２を用いて本発明の第一の実施形態に係る無線ネットワークシステムのシステム構成について説明する。
図１は、第一の実施形態に係る無線ネットワークシステムのシステム構成図である。
図２は、無線端末からアクセスポイントにパケットを送信するときのパケットの流れの一例を示す図である。
【００２６】
本実施形態の一台以上、通常、複数台の無線端末１００、アクセスポイント２００、監視装置３００から構成されている。
【００２７】
無線端末１００は、他の無線端末１００およびアクセスポイント２００と相互に通信することが可能である。各無線端末は、他の無線端末から受け取った通信を中継する機能を有する。そして、本実施形態では、各無線端末１００は、電池を内蔵しており、電池駆動であるが前提である。この無線端末１００は、ＺｉｇＢｅｅでいうところのＺＲ（ZigBee Router）がこれに該当する。
【００２８】
アクセスポイント２００は、ネットワーク内に通常一台存在し、ネットワークの制御をおこなう通信装置であり、無線端末１００から情報を集積する通信装置である。このアクセスポイント２００は、ＺｉｇＢｅｅでいうところのＺＣ（ZigBee Coordinator）がこれに該当する。
【００２９】
監視装置３００は、アクセスポイント２００で集積された情報に基づき、ネットワークシステム全体を管理する装置である。特に、本実施形態の場合には、各無線端末１００の電池の管理が問題となる。監視装置３００は、アクセスポイント２００と有線ケーブルまたは無線で接続されており、無線端末１００を遠隔監視することが可能である。監視装置３００は、専用の装置でもよいし、通常のＰＣ（パーソナルコンピュータ）でもよい。
【００３０】
無線通信のプロトコルは、特に、限定されないが、例えば、物理層、ＭＡＣ層では、ＩＥＥＥ８０２．１５．４が用いられる。
【００３１】
次に、図２を用いて無線端末１００のマルチホッピング通信について説明する。
【００３２】
ここで、無線端末♯１が、パケットをアクセスポイント２００に送信するものとする。各無線端末１００は、中継機能を有するので、無線端末と♯１アクセスポイント２００が直接通信をおこなえる距離ではない場合であっても、他の無線端末を中継する（マルチホッピング）ことにより、無線端末から送信したパケットをアクセスポイント２００まで送信することが可能である。図２の場合には、無線端末＃１が送信したパケットは、無線端末＃２、無線端末＃３、無線端末＃４を中継することにより、アクセスポイント２００まで伝達されていることを示している。
【００３３】
次に、図３ないし図５を用いて本発明の第一の実施形態に係る無線通信システムの各部の構成について説明する。
【００３４】
先ず、図３を用いて無線端末１００の構成を説明する。
図３は、本発明の第一の実施形態に係る無線通信システムの無線端末１００の構成図である。
【００３５】
無線端末１００は、図３に示されるように、制御部１０１、受信部１０２、送信部１０３、記録部１０４、カウンタ１０５、電池電圧測定部１０６、電池１１０から構成される。
【００３６】
制御部１０１は、無線端末１００の各部、すなわち、制御部１０１、受信部１０２、送信部１０３、記録部１０４、カウンタ１０５、電池電圧測定部１０６を制御する。
【００３７】
受信部１０２は、他無線端末１００やアクセスポイント２００が送信したパケットを受信する。その際、受信パケットが当該無線端末宛の場合は記録部１０４に保存する。受信パケットが、他無線端末宛やアクセスポイント宛の場合は送信部１０３に通知する。
【００３８】
送信部１０３は、受信部１０２が受信した他無線端末宛パケットやアクセスポイント向けパケットを再送信する機能を有する。各無線端末１００がこの機能を有することにより、無線端末１００とアクセスクポイント２００が直接通信をおこなえる距離ではない場合においても、他の無線端末を中継する（マルチホッピング）ことにより、無線端末１００から送信したパケットをアクセスポイント２００まで送信することが可能になる。
【００３９】
また、送信部１０３は、定期的にアクセスポイント２００に向けてパケットを送信する。当該パケットには累計送信時間情報、累計受信時間情報、電池電圧情報が付加されているものとする。送信パケットのフォーマットは、後に図６を用いて説明する。
【００４０】
カウンタ１０５は、累計送信時間と累計受信時間をカウントする。カウントされた情報は、それぞれ累計送信時間情報と累計受信時間情報として記録部１０４に保存される。
【００４１】
電池電圧測定部１０６は、内蔵されている電池の電池電圧を測定する。測定結果は、電池電圧情報として記録部１０４に保存される。
【００４２】
電池は当該無線端末１００の駆動用電源である。電池は、例えば、アルカリマンガン乾電池やリチウムイオン電池などだけではなく、太陽電池、もしくは太陽電池と充電可能な電池の組み合わせなど、無線端末の駆動することができれば、どんなものでもよいものとする。
【００４３】
記録部１０４は、累計送信時間情報、累計受信時間情報、電池電圧情報を記録し、受信部１０２が受信したパケットを他無線端末１００に送信するために一時的にパケットを保存するためのメモリである。
【００４４】
次に、図４を用いてアクセスポイント２００の構成について説明する。
図４は、本発明の第一の実施形態に係る無線通信システムのアクセスポイント２００の構成図である。
【００４５】
アクセスポイント２００は、図４に示されるように、制御部２０１、受信部２０２、送信部２０３、監視装置インタフェース部２０４から構成される。
【００４６】
制御部２０１は、アクセスポイント２００の各部、すなわち、受信部２０２、送信部２０３、監視装置インタフェース部２０４を制御する。
【００４７】
受信部２０２は、無線端末１００や他アクセスポイント２００が送信したパケットを受信する。その際、受信パケットが当該アクセスポイント向けの場合は、必要な上を読み込んだ後、監視装置インタフェース部２０４を介して監視部３００に通知する。
【００４８】
送信装置２０３は、無線端末１００や他アクセスポイント２００にパケットを送信する。なお、このアクセスポイント２００が無線端末１００からパケットを受信するだけの機能のみのときには、この送信装置２０３は、必須ではないが、アクセスポイント２００自身に中継機能を実装するときには、この送信装置２０３が、必須となる。
【００４９】
監視装置インタフェース部２０４は、受信部２０２により受信したパケットを監視装置まで伝達するためのインタフェースを司る部分である。
【００５０】
次に、図５を用いて監視装置３００の構成について説明する。
図５は、本発明の第一の実施形態に係る無線通信システムの監視装置３００の構成図である。
【００５１】
監視装置３００は、制御部３０１、アクセスポイントインタフェース部３０２、記録部３０３、電池寿命算出部３０４、表示部３０５、外部表示インタフェース部３０６から構成される。
【００５２】
制御部は、監視装置３００の各部、すなわち、制御部３０１、アクセスポイントインタフェース部３０２、記録部３０３、電池寿命算出部３０４、表示部３０５、外部表示インタフェース部３０６を制御する。
【００５３】
アクセスポイントインタフェース部３０２は、ネットワークにより接続されたアクセスポイント２００とのインタフェースを司り、アクセスポイント２００が受信したパケットを伝達させる。
【００５４】
記録部３０３は、各無線端末固有情報（電池の種別等）、および、各無線端末から送信されたパケットに付加される累計送信時間情報、累計受信時間情報、電池電圧情報を記録する（後述）。
【００５５】
電池寿命算出部３０４は、記録部３０３に記録されている各無線端末固有情報、累計送信時間情報、累計受信時間情報、電池電圧情報から各無線端末の電池寿命を推定し、算出する機能を有する。
【００５６】
表示部３０５は、電池寿命算出部３０４により算出した推定電池寿命を表示する機能を有する。ここで表示部３０５は、例えば、ＬＣＤ(Liquid Crystal Display)やＬＥＤ(Light Emitting Diode)である。また、このような視覚による表示だけではなく、例えば、音による電池寿命の表示でもよいものとする。さらに、監視装置３００は外部表示インタフェース部３０６を有し、外部表示インタフェース部３０６を介して外部表示装置と接続し、推定電池寿命を表示してもよい。
【００５７】
なお、本実施形態では、アクセスポイント２００と監視装置３００を別の装置として記述したが、一つの統合された装置であってもよい。
【００５８】
次に、図６を用いて無線端末１００から発信される送信パケットのフォーマットを説明する。
図６は、本発明の第一の実施形態に係る無線通信システムの無線端末１００から発信される送信パケットのフォーマットを示す図である。
【００５９】
各無線端末１００は、定期的に図６に示されるパケットをアクセスポイント２００に向けて送信するものとする。
【００６０】
パケットは、大別してヘッダ部とペイロード部から構成される。さらに、ヘッダ部は、宛先アドレスを記述する領域、送信元アドレスを記述する領域、累計送信時間を記述する領域、累計受信時間を記述する領域、電池電圧情報を記述する領域から構成される。ペイロード部は、センシングデータが記述されている。
【００６１】
パケットに記述された宛先アドレスは、当該パケットの送信先であるアクセスポイント２００のアドレスを示している。
【００６２】
パケットに記述された送信元アドレスは、当該パケットの送信元である無線端末のアドレスを示しいる。
【００６３】
パケットに記述された送信時間累計情報は、当該パケットの送信元である無線端末の累計送信時間を示している。
【００６４】
パケットに記述された累計受信時間情報は、当該パケットの送信元である無線端末の累計受信時間を示している。
【００６５】
パケットに記述された電池電圧情報は、当該パケットの電池電圧を示している。
【００６６】
各無線端末１００はパケットを中継する機能を有するが、パケットを中継する場合はパケットをそのまま中継するものとする。
【００６７】
次に、電池寿命の推定について説明する。
【００６８】
電池寿命の推定は、図１に示されるように、無線端末１００からアクセスポイント２００を経由して、監視装置３００に図６に示されたパケットが送られ、パケットのペイロードの情報に基づき、電池寿命算出部３０４が、以下の表１の要素から算出する。
【００６９】
【表１】
2009218904.tif 000003
ここで、電池電圧情報とは、無線端末１００の電池電圧を記述した情報であり、例えば、「無線端末♯１の現時点の電池電圧は、２．５Ｖ」などという情報である。
【００７０】
電池種別情報とは、電池の特性を記述した情報である。電池の特性とは、公称電圧、放電特性、電池容量、使用温度範囲等を意味する。
【００７１】
センサ種別情報とは、センサの特性を記述した情報である。センサの特性とは、定格入力電圧、定格消費電力、使用温度範囲等を意味する
監視装置３００は、各端末から通知される無線端末のアドレス、累計送信時間情報、累計受信時間情報、電池電圧情報を、いったん、監視装置内の記憶部３０３に保存する。
【００７２】
そして、監視装置３００の記録部３０３に保存されている無線端末のアドレス、累計送信時間情報、累計受信時間情報、電池電圧情報、電池種別情報やセンサ種別情報等に基づき電池寿命算出部３０４にて電池寿命を推定する。
【００７３】
ここで、累計送信時間情報、累計受信時間情報、電池電圧情報は、各無線端末１００から定期的に通知される情報であり、無線端末のアドレス、電池種別情報やセンサ種別情報等は予めユーザが登録しておく情報である。
【００７４】
これらの情報は、無線端末１００ごとに記録部１０４にて保存されている。
【００７５】
電池寿命の推定は、例えば、以下の（式１）のように、電池電圧が一定のしきい値より大きいときには、電池使用時間から累計送信時間と、累計受信時間とを考慮し、残りの電池寿命を定数から一次式で近似したものを用いることができる。
【００７６】
ただし、これ以外のより精密な電池寿命の推定式を用いてもよい。
【００７７】
【数１】
2009218904.tif 000004
〔実施形態２〕
以下、本発明に係る第二の実施形態を、図７を用いて説明する。
図７は、本発明の第二の実施形態に係る無線通信システムの無線端末１００から発信される送信パケットのフォーマットを示す図である。
【００７８】
本実施形態では、第一の実施形態のパケットにより送信される情報を変えたものであり、システム構成、各装置の構成は、同様である。
【００７９】
第一の実施形態では、無線端末において送信時の消費電力と受信時の消費電力に大きな差がある場合を想定し、累計送信時間情報と、累計受信時間情報を別々にパケットにより送信した。しかしながら、送信電力が低出力の場合、送信時の消費電力と受信時の消費電力に、ほとんど差異がない場合もある。その場合は、累計送信時間と累計受信時間を分けて監視装置３００に通知する必要は無く、図７（ａ）に示されように、累計送信時間と累計受信時間の総和と電池電圧をパケットへ付加しアクセスポイント２００へ送信すればよい。累計送信時間と累計受信時間の総和情報とは、当該無線端末の累計送信時間と累計受信時間の総和を示す情報である。
【００８０】
さらに、累計送信時間と累計受信時間の総和が無線端末１００の駆動時間と同じ場合は、図７（ｂ）に示されるように、駆動動作時間の総和と、電池電圧をパケットへ付加すればよい。総駆動時間情報とは、当該無線端末の累計駆動時間の総和を示す情報である。
【００８１】
第一の実施形態と同様に、本実施形態でも、各無線端末１００は、定期的に図７に示すパケットをアクセスポイント２００に向けて送信する。
【００８２】
〔実施形態３〕
以下、本発明に係る第三の実施形態を、図８ないし図１０を用いて説明する。
図８は、本発明の第三の実施形態に係る無線通信システムの無線端末１００の構成図である。
図９は、本発明の第三の実施形態に係る無線通信システムの監視装置３００の構成図である。
図１０は、本発明の第一の実施形態に係る無線通信システムの無線端末１００から発信される送信パケットのフォーマットを示す図である。
【００８３】
第一の実施形態では、各無線端末１００がアクセスポイント２００（監視装置３００）に累計送信時間、累計受信時間、電池電圧情報を送信し、監視装置３００はそれらの情報と記録部３０３に記述されている各無線端末固有の情報（センサの種別や電池種別）により、監視部３００内の電池寿命算出部３０４により当該無線端末１００の電池寿命を推定するものであった。
【００８４】
本実施形態は、図８に示されるように、各無線端末１００内に記録部１０４に、累計送信時間、累計受信時間、電池電圧情報、本無線端末の固有の情報（センサの種別や電池種別）を格納しておき、電池寿命算出部１０７により、電池寿命を推定する。そして、推定された推定電池寿命情報を付加した図１０に示されるパケットをアクセスポイント２００に送信するものである。監視装置３００は、推定電池寿命情報を読み込み、表示部３０５に推定電池寿命を表示する。本実施形態の監視装置１００は、図９に示されるように、電池寿命推定部３０４は不要になる。
【００８５】
〔実施形態４〕
以下、本発明に係る第四の実施形態を、図１１を用いて説明する。
図１１は、監視装置３００が、無線装置１００からのパケットの流れを制御する例を示す図である。
【００８６】
上記の第一ないし第三の実施形態により、監視装置３００は、各無線端末１００の電池寿命を推定する。電池寿命の推定結果から、電池寿命が早期に訪れると判断された無線端末は、図１１に示されるように、その無線端末を中継するルーティングパス制限することにより、中継による電池の消費を防ぐことができる。
【図面の簡単な説明】
【００８７】
【図１】第一の実施形態に係る無線ネットワークシステムのシステム構成図である。
【図２】無線端末からアクセスポイント２００にパケットを送信するときのパケットの流れの一例を示す図である。
【図３】本発明の第一の実施形態に係る無線通信システムの無線端末１００の構成図である。
【図４】本発明の第一の実施形態に係る無線通信システムのアクセスポイント２００の構成図である。
【図５】本発明の第一の実施形態に係る無線通信システムの監視装置３００の構成図である。
【図６】本発明の第一の実施形態に係る無線通信システムの無線端末１００から発信される送信パケットのフォーマットを示す図である。
【図７】本発明の第二の実施形態に係る無線通信システムの無線端末１００から発信される送信パケットのフォーマットを示す図である。
【図８】本発明の第三の実施形態に係る無線通信システムの無線端末１００の構成図である。
【図９】本発明の第三の実施形態に係る無線通信システムの監視装置３００の構成図である。
【図１０】本発明の第一の実施形態に係る無線通信システムの無線端末１００から発信される送信パケットのフォーマットを示す図である。
【図１１】監視装置３００が、無線装置１００からのパケットの流れを制御する例を示す図である。
【図１２】メッシュネットワークを模式的に説明した図である。
【符号の説明】
【００８８】
１００…無線端末、１０１…制御部、１０２…受信部、１０３…送信部、１０４…記録部、１０５…カウンタ、１０６…電池電圧測定部、１０７…電池寿命算出部、１１０…電池。
【００８９】
２００…アクセスポイント、２０１…制御部、２０２…受信部、２０３…送信部、２０４…監視装置インタフェース部。
【００９０】
３００…監視装置は、３０１…制御部、３０２…アクセスポイントインタフェース部、３０３…記録部、３０４…電池寿命算出部、３０５…表示部、３０６…外部表示インタフェース部。
【図１】
2009218904.tif 000005
【図２】
2009218904.tif 000006
【図３】
2009218904.tif 000007
【図４】
2009218904.tif 000008
【図５】
2009218904.tif 000009
【図６】
2009218904.tif 000010
【図７】
2009218904.tif 000011
【図８】
2009218904.tif 000012
【図９】
2009218904.tif 000013
【図１０】
2009218904.tif 000014
【図１１】
2009218904.tif 000015
【図１２】
2009218904.tif 000016